(57)【要約】  【課題】使用者に提供するのに適した楽曲を選択したり、その他、テレビ番組やラジオ番組、目的地とする場所を選択し得るように、使用者のプロファイル情報を収集するためのプロファイル情報収集装置を提供すること。  【解決手段】個人のプロファイル情報を収集するためのプロファイル情報収集装置において、個人が視聴又は聴取した放送番組の内容を示した情報を、プロファイル情報として収集するプロファイル情報収集手段を装備する。  【選択図】  図１
2005293194.tif 000002
【特許請求の範囲】
【請求項１】
個人のプロファイル情報を収集するためのプロファイル情報収集装置において、
前記個人が視聴又は聴取した放送番組の内容を示した情報を、プロファイル情報として
収集する第１のプロファイル情報収集手段を備えていることを特徴とするプロファイル情
報収集装置。
【請求項２】
プロファイル情報として収集する情報に、前記放送番組のジャンル情報、前記放送番組
への出演者情報、及び前記放送番組の中で流れた楽曲情報のいずれかが含まれていること
を特徴とする請求項１記載のプロファイル情報収集装置。
【請求項３】
個人のプロファイル情報を収集するためのプロファイル情報収集装置において、
前記個人が視聴又は聴取した放送番組を放送している放送局に関する情報を、プロファ
イル情報として収集する第２のプロファイル情報収集手段を備えていることを特徴とする
プロファイル情報収集装置。
【請求項４】
個人のプロファイル情報を収集するためのプロファイル情報収集装置において、
前記個人が訪問した場所に関する情報、前記個人が金銭を支払うことにより、購入した
商品又は受けたサービスに関する情報、及び前記個人の所有又は使用する車両の種別に関
する情報のいずれかを、プロファイル情報として収集する第３のプロファイル情報収集手
段を備えていることを特徴とするプロファイル情報収集装置。
【請求項５】
個人のプロファイル情報を収集するためのプロファイル情報収集装置において、
前記個人の行為から得られる情報に基づいて、前記個人に特有の性質を求める特有性質
算出手段と、
該特有性質算出手段により求められた前記個人に特有の性質を示した情報を、プロファ
イル情報として収集する第４のプロファイル情報収集手段とを備えていることを特徴とす
るプロファイル情報収集装置。
【請求項６】
前記個人の行為から得られる情報に、
前記個人が視聴又は聴取した放送番組に関する情報、前記個人が訪問した場所に関する
情報、前記個人が金銭を支払うことにより、購入した商品又は受けたサービスに関する情
報、及び前記個人の所有又は使用する車両の種別に関する情報のいずれかが含まれている
ことを特徴とする請求項５記載のプロファイル情報収集装置。
【請求項７】
個人のプロファイル情報を収集するためのプロファイル情報収集装置において、
各楽曲毎の前記個人の聴取履歴に関する情報を、プロファイル情報として収集する第５
のプロファイル情報収集手段を備えると共に、
該第５のプロファイル情報収集手段により収集される情報の対象に、前記個人が視聴又
は聴取した放送番組で流された楽曲が含まれていることを特徴とするプロファイル情報収
集装置。
【請求項８】
個人のプロファイル情報を収集するためのプロファイル情報収集装置において、
各楽曲毎に前記個人が聴取した回数をカウントする聴取回数カウント手段と、
該聴取回数カウント手段によりカウントされた前記回数を示した情報を、プロファイル
情報として収集する第６のプロファイル情報収集手段とを備えると共に、
前記聴取回数カウント手段によりカウントされる対象に、前記個人が視聴又は聴取した
放送番組で流された楽曲が含まれていることを特徴とするプロファイル情報収集装置。
【請求項９】
個人のプロファイル情報を収集するためのプロファイル情報収集装置において、
前記個人の各楽曲に対する聴取状況に基づいて、各楽曲毎の前記個人における重要度を
求める重要度算出手段と、
該重要度算出手段により求められた前記重要度を示した情報を、プロファイル情報とし
て収集する第７のプロファイル情報収集手段とを備えると共に、
前記重要度算出手段による重要度を算出する要素に、前記個人の意思により楽曲が再生
されたこと、及び前記個人の意思により楽曲の再生が中止されたことが含まれ、
楽曲が再生された場合、前記重要度は増大され、楽曲の再生が中止された場合、前記重
要度が低減されるように設定されていることを特徴とするプロファイル情報収集装置。
【請求項１０】
前記重要度算出手段による重要度を算出する要素に、前記個人の意思とは別に楽曲が再
生されたことが含まれ、
前記個人の意思により楽曲が再生された場合における前記重要度の増大の方が、前記個
人の意思とは別に楽曲が再生された場合における前記重要度の増大よりも大きく設定され
ていることを特徴とする請求項９記載のプロファイル情報収集装置。
【発明の詳細な説明】
【技術分野】
【０００１】
本発明はプロファイル情報収集装置に関し、より詳細には、選択対象コンテンツ（例え
ば、楽曲、テレビ番組、ラジオ番組、場所）の中から、使用者へ提供するに相応しいコン
テンツの選択などに利用するためのプロファイル情報を収集するためのプロファイル情報
収集装置に関する。
【背景技術】
【０００２】
車室内で聴く音楽は、ドライバーが快適に運転するためや、ドライブを楽しいものとす
るためにも、ドライバーや乗員の聴きたいもの、好きなものとすることが好ましい。そこ
で、ドライバーの嗜好や、そのときの気分に合致した楽曲を提供するオーディオ装置など
が提案されている（例えば、下記の特許文献１、２参照）。特許文献１には、ドライバー
の嗜好を過去の聴いた実績に基づいて分析し、その分析結果に基づいて、前記ドライバー
の嗜好に合った楽曲を選択し、選択した楽曲を前記ドライバーに提供するオーディオ装置
について開示されている。
【０００３】
しかしながら、精度の高い嗜好の分析は容易ではなく、ドライバーの聴きたいものが正
しく選曲されないケースが多くなる可能性もある。また、ドライバーの嗜好に合った楽曲
を選択する場合には、毎回同じ楽曲が選択される可能性が高く、聴き飽きた楽曲ばかりが
提供される可能性も高い。
【０００４】
また、聴きたい音楽というのはその時々の気分などで変化することもあり、今日は聴き
たいと思っていた曲が、明日には聴きたくなくなったり、その逆に、今日は聴きたくない
と思っていた曲が、明日には聴きたくなることもある。従って、聴きたい音楽というのは
使用者（例えば、ドライバー）のその時々の気分などで選択されるのが好ましいこともあ
る。
【０００５】
しかしながら、楽曲の選択を使用者が全て行わなければならないのでは、操作が煩わし
くなる。特に、最近ではＨＤＤ（Hard Disk Drive ）などの大容量記憶装置が普及し、数
多くの楽曲（例えば、１０００曲）に関するデータを記憶させておくことができるように
なっているが、１０００曲もの楽曲の中から所望の楽曲を選択するのは決して容易なこと
ではない。従って、使用者のプロファイル情報を充実させて、前記使用者へ提供するのに
相応しい楽曲（例えば、ドライバーの好むと推定される楽曲）を適切に選択できるように
することが大切となる。
【０００６】
例えば、最近ではＨＤＤ１に、図２０に示したように、ＣＤ２−１〜ＣＤ２−ｎに収録
されている楽曲そのもののデータ（以降、楽曲データと記す）及びＴＯＣ（Table Of Con
tents ）情報（例えば、楽曲数や総演奏時間）が記憶され、さらにはＣＤに関する情報（
例えば、タイトル名や収録されている楽曲数、収録されている楽曲の総演奏時間、歌手名
、各楽曲の曲名・演奏時間）が記憶されている。
【０００７】
楽曲データやＴＯＣ情報については、ＣＤ２−１〜ＣＤ２−ｎからデータを読み出して
ＨＤＤ１に記憶させれば良く、ＣＤに関する情報については、これら情報を提供するサー
ビス機関３があるため、サービス機関３から提供される情報を取得してＨＤＤ１に記憶さ
せれば良い。なお、サービス機関３から提供されたＣＤに関する情報が、ＨＤＤ１に記憶
されているどの楽曲データに対応したものであるのかは、収録されている楽曲数と総演奏
時間から判断することができ、例えば、第１番目に記憶されている、タイトル名が「大発
明」であるＣＤ（楽曲数１６曲、総演奏時間５１分１２秒）に関する情報は、第２番目に
記憶されている楽曲データ（ＣＤ２−２に収録されていた楽曲データ）に対応したもので
あると判断することができる。
【特許文献１】特開２００２−１１４１０７号公報
【特許文献２】特開２００１−２８２８４７号公報
【発明の開示】
【課題を解決するための手段及びその効果】
【０００８】
本発明は上記課題に鑑みなされたものであって、使用者（例えば、ドライバー）に提供
するのに適した楽曲を選択したり、その他、テレビ番組やラジオ番組、目的地とする場所
を選択し得るように、使用者（例えば、ドライバー）のプロファイル情報を収集するため
のプロファイル情報収集装置を提供することを目的としている。
【０００９】
上記目的を達成するために本発明に係るプロファイル情報収集装置（１）は、個人のプ
ロファイル情報を収集するためのプロファイル情報収集装置において、前記個人が視聴又
は聴取した放送番組の内容を示した情報を、プロファイル情報として収集する第１のプロ
ファイル情報収集手段を備えていることを特徴としている。
【００１０】
上記プロファイル情報収集装置（１）によれば、前記プロファイル情報として、前記個
人が視聴又は聴取した放送番組（例えば、テレビ番組、ラジオ番組）の内容を示した情報
（例えば、番組のジャンル）が収集される。前記個人が視聴又は聴取した放送番組の内容
からは、前記個人の好みなどを推定することができる。
【００１１】
例えば、歌番組をよく視聴又は聴取する者は、音楽を聴くことが好きだと推定すること
ができ、また、野球中継をよく視聴又は聴取する者は、野球が好きだと推定することがで
きる。また、毎週欠かさず視聴する番組があれば、単純に前記個人がその番組を好きだと
推定することもできる。
【００１２】
すなわち、前記個人が視聴又は聴取した放送番組の内容を示した情報をプロファイル情
報として収集することによって、前記個人の嗜好などを適切に推定することができるよう
になる。これにより、前記個人に提供するに相応しいコンテンツ（例えば、楽曲、番組、
場所）の選択についても精度良く行うことができるようになる。
【００１３】
また、本発明に係るプロファイル情報収集装置（２）は、上記プロファイル情報収集装
置（１）において、プロファイル情報として収集する情報に、前記放送番組のジャンル情
報、前記放送番組への出演者情報、及び前記放送番組の中で流れた楽曲情報のいずれかが
含まれていることを特徴としている。
【００１４】
上記プロファイル情報収集装置（２）によれば、プロファイル情報として収集する情報
に、前記放送番組のジャンル情報（例えば、ニュース、歌番組、ドラマ、お笑い番組、野
球中継）、前記放送番組への出演者情報（例えば、浜崎あゆみ、五木ひろし）、前記放送
番組の中（例えば、オープニング、エンディング）で流れた楽曲情報（例えば、歌手Ａに
よって歌われている楽曲ａ）のいずれかが含まれている。
【００１５】
これにより、前記個人の好きなジャンルのテレビ番組や、好きなタレント、好きな楽曲
などを推定することができる。すなわち、前記個人の嗜好を細かく分析することが可能と
なるので、前記個人に提供するに相応しいコンテンツの選択をより精度良く行うことがで
きる。
【００１６】
また、放送番組の中で流れた楽曲情報を、前記放送番組と対応づけて記憶させるように
すれば、例えば、前記個人による、昨夜視聴していた○○番組で流れた楽曲のリクエスト
にも応えることができるようになる。
【００１７】
ところで、前記個人の嗜好に合致した楽曲を選択しようとすると、「背景技術」の欄で
も説明したように、同じ楽曲ばかりが選択されて再生されるおそれがある。このような問
題を解決するには、同じ日に２回同じ楽曲を再生しない、２日連続して同じ楽曲は再生し
ない、といった制限を加える方法が挙げられる。さらには、上記したように、放送番組の
中で流れた楽曲情報を、前記放送番組と対応づけて記憶させるようにし、ＣＤなどが再生
された場合だけでなく、テレビ番組やラジオ番組で流れた場合（すなわち、前記個人が実
際に聴いた場合）を考慮に入れても良い。
【００１８】
また、本発明に係るプロファイル情報収集装置（３）は、個人のプロファイル情報を収
集するためのプロファイル情報収集装置において、前記個人が視聴又は聴取した放送番組
を放送している放送局に関する情報を、プロファイル情報として収集する第２のプロファ
イル情報収集手段を備えていることを特徴としている。
【００１９】
上記プロファイル情報収集装置（３）によれば、前記プロファイル情報として、前記個
人が視聴又は聴取した放送番組（例えば、テレビ番組、ラジオ番組）を放送している放送
局に関する情報が収集される。放送局には、ニュース番組、スポーツ中継、歌番組、映画
など様々な番組を提供する局もあれば、ニュースやスポーツ、歌、映画などを専門に扱う
局もあり、視聴又は聴取している放送番組を放送している放送局から、前記個人の好みな
どを推定することができる。
【００２０】
例えば、歌番組を専門に扱っている放送局から放送される番組をよく視聴又は聴取する
者は、音楽を聴くことが好きだと推定することができ、また、映画を専門に扱っている放
送局から放送される番組をよく視聴又は聴取する者は、映画が好きだと推定することがで
きる。また、単純に前記個人がその放送局を好きだと推定することもできる。
【００２１】
すなわち、前記個人が視聴又は聴取した放送番組を放送している放送局に関する情報を
プロファイル情報として収集することによって、前記個人の嗜好などを適切に推定するこ
とができるようになる。これにより、前記個人に提供するに相応しいコンテンツ（例えば
、楽曲、番組、場所）の選択についても精度良く行うことができるようになる。
【００２２】
また、本発明に係るプロファイル情報収集装置（４）は、個人のプロファイル情報を収
集するためのプロファイル情報収集装置において、前記個人が訪問した場所に関する情報
、前記個人が金銭を支払うことにより、購入した商品又は受けたサービスに関する情報、
及び前記個人の所有又は使用する車両の種別に関する情報のいずれかを、プロファイル情
報として収集する第３のプロファイル情報収集手段を備えていることを特徴としている。
【００２３】
上記プロファイル情報収集装置（４）によれば、前記プロファイル情報として、前記個
人が訪問した場所に関する情報、前記個人が金銭を支払うことにより、購入した商品又は
受けたサービスに関する情報、及び前記個人の所有又は使用する車両の種別に関する情報
のいずれかが収集される。前記個人が訪問した場所や、金銭を支払うことにより、購入し
た商品又は受けたサービス、乗っている車両の種別からは、前記個人の好みなどを推察す
ることができる。
【００２４】
例えば、コンサート会場へよく行く者は、音楽を聴くことが好きだと推定することがで
き、また、野球場へよく行く者は、野球が好きだと推定することができる。また、ＣＤを
よく購入する者は、音楽を聴くことが好きだと推定することができ、高級車に乗っている
者は、高級指向だと推定することができる。また、頻繁に訪問する場所があれば、単純に
前記個人がその場所を好きだと推定することができ、また、あるアーティストのＣＤをよ
く購入していれば、前記個人がそのアーティストを好きだと推定することができる。
【００２５】
すなわち、前記個人が訪問した場所に関する情報、前記個人が金銭を支払うことにより
、購入した商品又は受けたサービスに関する情報、及び前記個人の所有又は使用する車両
の種別に関する情報のいずれかをプロファイル情報として収集することによって、前記個
人の嗜好などを適切に推定することができるようになる。これにより、前記個人に提供す
るに相応しいコンテンツ（例えば、楽曲、番組、場所）の選択についても精度良く行うこ
とができるようになる。
【００２６】
また、本発明に係るプロファイル情報収集装置（５）は、個人のプロファイル情報を収
集するためのプロファイル情報収集装置において、前記個人の行為から得られる情報に基
づいて、前記個人に特有の性質を求める特有性質算出手段と、該特有性質算出手段により
求められた前記個人に特有の性質を示した情報を、プロファイル情報として収集する第４
のプロファイル情報収集手段とを備えていることを特徴としている。
【００２７】
上記プロファイル情報収集装置（５）によれば、前記個人の行為から得られる情報（例
えば、視聴したテレビ番組の内容）に基づいて、前記個人に特有の性質（例えば、ロック
音楽が好き）が求められ、求められた前記個人に特有の性質を示した情報がプロファイル
情報として収集される。これにより、前記個人に提供するに相応しいコンテンツ（例えば
、楽曲、番組、場所）の選択などを精度良く行うことができるようになる。
【００２８】
また、本発明に係るプロファイル情報収集装置（６）は、上記プロファイル情報収集装
置（５）において、前記個人の行為から得られる情報に、前記個人が視聴又は聴取した放
送番組に関する情報、前記個人が訪問した場所に関する情報、前記個人が金銭を支払うこ
とにより、購入した商品又は受けたサービスに関する情報、及び前記個人の所有又は使用
する車両の種別に関する情報のいずれかが含まれていることを特徴としている。
【００２９】
上記プロファイル情報収集装置（６）によれば、前記個人の行為から得られる情報に、
前記個人が視聴又は聴取した放送番組に関する情報、前記個人が訪問した場所に関する情
報、前記個人が金銭を支払うことにより、購入した商品又は受けたサービスに関する情報
、及び前記個人の所有又は使用する車両の種別に関する情報のいずれかが含まれている。
【００３０】
例えば、歌手Ａの出演している歌番組をよく視聴する者は、歌手Ａを好きだという性質
を有していると推定することができ、野球場へよく行く者は、野球好きだという性質を有
していると推定することができ、歌手ＢのＣＤをよく購入する者は、歌手Ｂを好きだとい
う性質を有していると推定することができる。また、高級車に乗っている者は、高級指向
だと推定することができる。
すなわち、前記個人に特有の性質を適切に求めることができる。これにより、前記個人
に提供するに相応しいコンテンツ（例えば、楽曲、番組、場所）の選択などをより一層精
度良く行うことができるようになる。
【００３１】
また、本発明に係るプロファイル情報収集装置（７）は、個人のプロファイル情報を収
集するためのプロファイル情報収集装置において、各楽曲毎の前記個人の聴取履歴に関す
る情報を、プロファイル情報として収集する第５のプロファイル情報収集手段を備えると
共に、該第５のプロファイル情報収集手段により収集される情報の対象に、前記個人が視
聴又は聴取した放送番組で流された楽曲が含まれていることを特徴としている。
【００３２】
上記プロファイル情報収集装置（７）によれば、プロファイル情報として収集される各
楽曲毎の前記個人の聴取履歴に関する情報に、前記個人が視聴又は聴取した放送番組で流
された楽曲が含まれる。すなわち、ＣＤなどに記録されている楽曲が再生された場合だけ
でなく、テレビ番組やラジオ番組で流れた場合についても、前記個人の聴取履歴に関する
情報として収集することができる。これにより、前記個人の聴取履歴に関する情報を充実
させることができる。
【００３３】
また、本発明に係るプロファイル情報収集装置（８）は、個人のプロファイル情報を収
集するためのプロファイル情報収集装置において、各楽曲毎に前記個人が聴取した回数を
カウントする聴取回数カウント手段と、該聴取回数カウント手段によりカウントされた前
記回数を示した情報を、プロファイル情報として収集する第６のプロファイル情報収集手
段とを備えると共に、前記聴取回数カウント手段によりカウントされる対象に、前記個人
が視聴又は聴取した放送番組で流された楽曲が含まれていることを特徴としている。
【００３４】
上記プロファイル情報収集装置（８）によれば、プロファイル情報として、各楽曲毎に
前記個人が聴取した回数を示した情報が収集される。また、カウントされる対象に、前記
個人が視聴又は聴取した放送番組で流された楽曲が含まれる。すなわち、ＣＤなどに記録
されている楽曲が再生された場合だけでなく、テレビ番組やラジオ番組で流れた場合につ
いてもカウントされる。これにより、各楽曲毎に前記個人が聴取した回数を示した情報の
精度を高めることができる。
【００３５】
また、本発明に係るプロファイル情報収集装置（９）は、個人のプロファイル情報を収
集するためのプロファイル情報収集装置において、前記個人の各楽曲に対する聴取状況に
基づいて、各楽曲毎の前記個人における重要度を求める重要度算出手段と、該重要度算出
手段により求められた前記重要度を示した情報を、プロファイル情報として収集する第７
のプロファイル情報収集手段とを備えると共に、前記重要度算出手段による重要度を算出
する要素に、前記個人の意思により楽曲が再生されたこと、及び前記個人の意思により楽
曲の再生が中止されたことが含まれ、楽曲が再生された場合、前記重要度は増大され、楽
曲の再生が中止された場合、前記重要度が低減されるように設定されていることを特徴と
している。
【００３６】
上記プロファイル情報収集装置（９）によれば、前記個人の各楽曲に対する聴取状況に
基づいて、各楽曲毎の前記個人における重要度が求められ、求められた重要度を示した情
報が、プロファイル情報として収集される。
また、前記重要度の算出要素に、前記個人の意思により楽曲が再生されたこと（例えば
、前記個人自身で選曲され、再生ボタンが押下された場合）、及び前記個人の意思により
楽曲の再生が中止されたこと（例えば、楽曲の再生途中で、停止ボタンが押下された場合
）が含まれている。再生ボタンの押下は、前記個人がその楽曲を聴くことを欲していると
推定することができ、逆に、停止ボタンの押下は、前記個人がその楽曲を聴きたくないと
思っていると推定することができる。
【００３７】
また、楽曲が再生された場合（すなわち、前記個人が前記楽曲を聴くことを欲している
場合）、前記重要度は増大され、楽曲の再生が中止された場合（すなわち、前記個人が前
記楽曲を聴きたくないと思っている場合）、前記重要度は低減される。従って、前記重要
度は増大されるだけでなく、低減されることもあるので、その精度を高めることができる
。
【００３８】
また、本発明に係るプロファイル情報収集装置（１０）は、上記プロファイル情報収集
装置（９）において、前記重要度算出手段による重要度を算出する要素に、前記個人の意
思とは別に楽曲が再生されたことが含まれ、前記個人の意思により楽曲が再生された場合
における前記重要度の増大の方が、前記個人の意思とは別に楽曲が再生された場合におけ
る前記重要度の増大よりも大きく設定されていることを特徴としている。
【００３９】
「背景技術」の欄でも記載したが、楽曲の再生は、個人の操作による場合だけでなく、
前記個人の操作を煩わせること無しに行うものもある。すなわち、前記個人の意思とは別
に楽曲が再生される場合がある。
【００４０】
上記プロファイル情報収集装置（１０）によれば、前記重要度を算出する要素に、前記
個人の意思とは別に楽曲が再生されたことが含まれ、前記個人の意思により楽曲が再生さ
れた場合における前記重要度の増大の方が、前記個人の意思とは別に楽曲が再生された場
合における前記重要度の増大よりも大きく設定されている。すなわち、前記個人の意思に
よる楽曲が再生された場合と、前記個人の意思とは別に楽曲が再生された場合とで、前記
重要度の算出の差別化が図られている。これにより、前記重要度の精度をより一層高める
ことができる。
【発明を実施するための最良の形態】
【００４１】
以下、本発明に係るプロファイル情報収集装置の実施の形態を図面に基づいて説明する
。図１は、実施の形態（１）に係るプロファイル情報収集装置を含んで構成される、ナビ
ゲーション機能を有したオーディオ装置の要部を概略的に示したブロック図である。図中
１１はオーディオ装置を示しており、車両Ｍに装備されるようになっている。
【００４２】
オーディオ装置１１は、メイン制御部であるオーディオ用制御部１３及びナビゲーショ
ン用制御部１４を含むマイコン１２と、アンテナ１５からテレビ放送波やラジオ放送波を
受信するための放送波受信機１６と、地図データ等が記憶されたＤＶＤ−ＲＯＭ１７から
地図データ等を読み出すためのＤＶＤドライブ１８と、ボタンスイッチ１９ａを有したリ
モコン１９と、ボタンスイッチ２０ａ及び表示パネル２０ｂを有した表示装置２０と、音
声を電気信号に変換するマイクロフォン２１と、マイクロフォン２１で変換された電気信
号を処理して音声を認識するための音声認識部２２と、マイコン１２からの文字データを
処理して合成音声データを生成する音声合成部２３と、音声合成部２３で生成された合成
音声データを増幅する増幅器２４と、増幅された合成音声データを音声として出力するス
ピーカ２５とを含んで構成されている。なお、文字データではない、楽曲データなどの音
声データについては音声合成部２３を介さずに、スピーカ２５から出力されるようになっ
ている。また、ＤＶＤドライブ１８はＣＤの再生も可能となっている。
【００４３】
また、表示パネル２０ｂの上下左右には複数の赤外線ＬＥＤ（図示せず）と複数のフォ
トトランジスタ（図示せず）とが対向して配置され、指が表示パネル２０ｂに触れた位置
を検出することができるように構成され、検出された結果についてはマイコン１２で取得
することができるようになっている。
【００４４】
マイコン１２に接続されている携帯電話などの移動体通信機２６は、サーバー（図示せ
ず）からの情報などの受信に用いるものであり、マイコン１２は移動体通信機２６を介し
てサーバーからの情報（例えば、楽曲に関する情報や、放送番組の内容を示した情報）を
取得することができるようになっている。
【００４５】
また、マイコン１２に接続されているＧＰＳ受信機２７は、アンテナ２８を介して衛星
からのＧＰＳ信号を受信するものであり、マイコン１２はＧＰＳ信号に基づいて車両Ｍの
現在位置を割り出すことができるようになっている。また、マイコン１２には車両Ｍの速
度に関するデータを検出するための車速センサ２９と、車両Ｍの進行方向に関するデータ
を取得するためのジャイロセンサ３０と、磁気ディスク（図示せず）で構成され、データ
の読み書きが可能であり、プロファイルデータや、楽曲データ、楽曲情報に関するデータ
など各種データが記憶されたＨＤＤ３１とが接続されている。なお、ここでは地図データ
が記憶されたＤＶＤ−ＲＯＭ１７を採用しているが、別の実施の形態では、ＤＶＤ−ＲＯ
Ｍ１７ではなく、その他の記憶媒体、記憶装置を採用しても良く、例えば、地図データが
記憶されたＨＤＤを採用しても良い。
【００４６】
図２は、ＨＤＤ３１に記憶されているデータの一部を示した図であり、ＨＤＤ３１には
ユーザーの名前や生年月日、血液型、性別など、ユーザー自身によって入力されるプロフ
ァイル情報に関するデータ（プロファイルデータＤ１）と、ユーザーが視聴又は聴取した
放送番組の内容を示した情報（例えば、前記放送番組のジャンル情報、前記放送番組への
出演者情報、前記放送番組の中で流れた楽曲情報）や、ユーザーが聴取した楽曲情報、ユ
ーザーが訪問した場所情報など、ユーザーの視聴等した履歴に関するデータ（履歴データ
Ｄ２としてのプロファイルデータ）と、これら履歴に関するデータから求められるユーザ
ーに特有の性質を示した情報（例えば、ユーザーの嗜好）に関するデータ（学習データＤ
３としてのプロファイルデータ）とが記憶され、さらには日本語知識データＤ４と、楽曲
そのもののデータ（楽曲データＤ５）と、楽曲情報に関するデータ（楽曲情報データＤ６
）と、映像データＤ７と、キャラクタデータＤ８と、対話シナリオデータＤ９と、コンテ
ンツデータＤ１０と、音声認識辞書データＤ１１と、音声合成辞書データＤ１２と、メモ
リカードなどの記憶媒体から取り込んだデータ（各種メディアデータＤ１３）と、その他
の保存データＤ１４とが記憶されている。
【００４７】
図３は、ＨＤＤ３１に記憶されている楽曲データ、及び楽曲情報に関するデータの一部
を示した図であり、ＨＤＤ３１にはＣＤ２−１〜ＣＤ２−ｎ（図２０参照）に収録されて
いる楽曲データ及びＴＯＣ情報（例えば、ＣＤに収録されている楽曲数や総演奏時間）に
関するデータが記憶され、さらにはＣＤに関する情報（例えば、タイトル名、収録されて
いる楽曲数、収録されている楽曲の総演奏時間、歌手名、リリースされた年月日、収録さ
れている各楽曲の曲名・演奏時間・ジャンル・イメージ）に関するデータが記憶されてい
る。イメージについては、楽曲の激しさやスピード感が５段階（レベル１〜レベル５）で
表され、例えば、楽曲『特許ａ』の激しさはレベル２（穏やか）、スピード感はレベル４
（速い）であるので、楽曲『特許ａ』はスピード感はあるが、やや穏やかな曲ということ
になる。
【００４８】
楽曲データやＴＯＣ情報に関するデータについては、ＣＤ２−１〜ＣＤ２−ｎからデー
タを読み出してＨＤＤ３１に記憶させれば良く、ＣＤに関する情報（すなわち、楽曲情報
）については、これら情報を提供する機関などから、移動体通信機２６を使って取得して
ＨＤＤ３１に記憶させれば良い。なお、前記機関から提供されたＣＤに関する情報が、Ｈ
ＤＤ３１に記憶されているどの楽曲データに対応したものであるのかは、収録されている
楽曲数と総演奏時間から判断することができ、例えば、第１番目に記憶されている、タイ
トル名が「大発明」であるＣＤ（楽曲数１６曲、総演奏時間５１分１２秒）に関する情報
は、第２番目に記憶されている楽曲データ（ＣＤ２−２に収録されている楽曲データ）に
対応したものであると判断することができる。
【００４９】
図４は、ＨＤＤ３１に記憶されているユーザーのプロファイルデータの一部を示した図
であり、ユーザーの名前、生年月日、血液型、性別、楽曲の嗜好情報、テレビ・ラジオ放
送番組の嗜好情報、訪問場所の嗜好情報、好きなアーティスト、好きな楽曲、好きなテレ
ビ・ラジオ番組、好きな訪問場所について記憶されている。楽曲の嗜好情報は、曲の激し
さ、スピード感、ロック、ポップス、ジャズ、クラシック、演歌などが５段階（レベル１
〜レベル５）で表されている。
【００５０】
例えば、曲の激しさがレベル４であれば、ユーザーは激しい曲を比較的好んでいると判
断することができ、ロックがレベル４で、演歌がレベル１であれば、ユーザーが演歌より
もロックを好んで聴くと判断することができる。また、テレビ・ラジオ放送番組の嗜好情
報はニュース、スポーツ、歌、バラエティ、ドキュメントなどが５段階で表され、訪問場
所の嗜好情報は公園、スポーツ、寺・神社、テーマパーク、映画館などが５段階で表され
ている。
【００５１】
実施の形態（１）に係るプロファイル情報収集装置を含んで構成される、オーディオ装
置１１におけるマイコン１２（オーディオ用制御部１３）の行う処理動作［１−１］を図
５に示したフローチャートに基づいて説明する。なお、この処理動作［１−１］はオーデ
ィオ装置の電源がオンされたときに行われる動作である。まず、初期設定として、ＨＤＤ
３１から対話シナリオデータＤ９を読み出し、マイコン１２内のメモリ（図示せず）に記
憶させる（ステップＳ１）。
【００５２】
次に、メニュー画面データを表示装置２０へ出力することによって、図６に示したよう
なメニュー画面を表示パネル２０ｂへ表示させる（ステップＳ２）。図中Ｅ１は擬人化し
たエージェントを示している。次に、対話シナリオデータＤ９に基づいて、所定の案内文
データを作成し、作成した案内文データを音声合成部２３へ出力することによって、スピ
ーカ２５より音声で案内文を出力させる（ステップＳ３）。例えば、「操作のお手伝いを
しましょうか？」といった案内文をスピーカ２５より出力させる。なお、このときエージ
ェントＥ１が案内をしているように、エージェントＥ１の口などを動かすようにする方が
望ましい。
【００５３】
その後、マイクロフォン２１から得られる情報に基づいて、ユーザーからの「Ｙｅｓ」
に相当する応答があったか否かを判断し（ステップＳ４）、ユーザーからの「Ｙｅｓ」に
相当する応答があったと判断すれば、次に、ナビゲーション機能及びオーディオ機能のい
ずれかの稼働選択が可能な画面を表示パネル２０ｂへ表示させると共に（ステップＳ５）
、対話シナリオデータＤ９に基づいて、所定の案内文データを作成し、上記と同様に、ス
ピーカ２５より音声で所定の案内文を出力させる（ステップＳ６）。例えば、「ナビゲー
ション機能を稼働させますか、それともオーディオ機能を稼働させますか？」といった案
内文をスピーカ２５より出力させる。
【００５４】
その後、マイクロフォン２１から得られる情報に基づいて、ユーザーからの「ナビゲー
ション」に相当する応答があったか否かを判断し（ステップＳ７）、ユーザーからの「ナ
ビゲーション」に相当する応答があったと判断すれば、ナビゲーション用制御部１４に対
して目的地設定などの『ナビゲーション処理』（図７参照）を行うように指示する（ステ
ップＳ８）。
【００５５】
次に、ユーザーからのオーディオ機能を稼働させる指示があったか否か（例えば、リモ
コン１９に設けられているナビゲーション機能とオーディオ機能とを切り替えるための切
替スイッチが押下されたか否か）を判断し（ステップＳ９）、ユーザーからのオーディオ
機能を稼働させる指示があったと判断すれば、『オーディオ処理』（図１０参照）を行う
（ステップＳ１０）。一方、オーディオ機能を稼働させる指示はないと判断すれば、その
ままステップＳ９へ戻る。
【００５６】
一方、ステップＳ７において、ユーザーからの「ナビゲーション」に相当する応答はな
いと判断すれば、次に、ユーザーからの「オーディオ」に相当する応答があったか否かを
判断し（ステップＳ１１）、「オーディオ」に相当する応答があったと判断すれば、『オ
ーディオ処理』（図１０参照）を行う（ステップＳ１０）。一方、「オーディオ」に相当
する応答はないと判断すれば、ステップＳ７へ戻る。
【００５７】
また、ステップＳ４において、ユーザーからの「Ｙｅｓ」に相当する応答はないと判断
すれば、次に、ユーザーからの「Ｎｏ」に相当する応答があったか否かを判断し（ステッ
プＳ１２）、「Ｎｏ」に相当する応答があったと判断すれば、次に、対話シナリオデータ
Ｄ９に基づいて、所定の案内文データを作成し、スピーカ２５より音声で所定の案内文を
出力させる（ステップＳ１３）。例えば、「では、必要になれば私（エージェントＥ１）
を呼び出してください」といった案内文をスピーカ２５より出力させる。その後、エージ
ェントによる支援のない処理、すなわちユーザーの操作（手動や音声）だけに基づいた『
ユーザー操作処理』（図１８参照）を行う（ステップＳ１４）。
【００５８】
一方、ステップＳ１２において、ユーザーからの「Ｎｏ」に相当する応答はないと判断
すれば、ステップＳ４へ戻る。なお、所定の時間（例えば、６秒）が経過しても、「Ｙｅ
ｓ」、「Ｎｏ」のいずれの応答もない場合は、「Ｙｅｓ」と判断して、ステップＳ５へ進
むようにしても良い。また、「Ｙｅｓ」、「Ｎｏ」、「ナビゲーション」、「オーディオ
」の応答については音声に限定されず、表示パネル２０ｂへのタッチ操作などを採用して
も良い。
【００５９】
次に、実施の形態（１）に係るプロファイル情報収集装置を含んで構成される、オーデ
ィオ装置１１におけるマイコン１２（ナビゲーション用制御部１４）の行う処理動作［１
−２］を図７に示したフローチャートに基づいて説明する。なお、この処理動作［１−２
］はメイン制御部であるオーディオ用制御部１３からナビゲーション処理を行う指示がな
された場合（図５のステップＳ８）に行われる動作である。
【００６０】
まず、音声認識用の語彙をナビゲーション用に限定する（例えば、オーディオ用の語彙
を外す）ことによって、音声認識力を高める（ステップＳ２１）。別の実施の形態では、
音声認識用の語彙を限定するのではなく、語彙の重み付けを行うようにしても良い。例え
ば、オーディオ用の語彙のヒット確率を下げるように重み付けを行う。
【００６１】
次に、ナビゲーション用のメニュー画面を表示パネル２０ｂへ表示させると共に（ステ
ップＳ２２）、対話シナリオデータＤ９に基づいて、所定の案内文データを作成し、スピ
ーカ２５より音声で所定の案内文を出力させる（ステップＳ２３）。例えば、「目的地を
選択してもよろしいでしょうか？」といった案内文をスピーカ２５より出力させる。
【００６２】
その後、マイクロフォン２１から得られる情報に基づいて、ユーザーからの「Ｙｅｓ」
に相当する応答があったか否かを判断し（ステップＳ２４）、ユーザーからの「Ｙｅｓ」
に相当する応答があったと判断すれば、次に、『目的地選択処理』（図８参照）を行う（
ステップＳ２５）。
【００６３】
目的地Ｇの選択処理が完了すると、目的地Ｇまで車両Ｍを誘導する誘導処理を行い（ス
テップＳ２６）、次に、車両Ｍが目的地Ｇへ到達したか否かを判断する（ステップＳ２７
）。車両Ｍが目的地Ｇへ到達していないと判断すれば、車両Ｍが目的地Ｇへ到達するまで
に要する時間Ｔａを算出し（ステップＳ２８）、その後、ステップＳ２６へ戻る。一方、
車両Ｍが目的地Ｇへ到達していると判断すれば、時間Ｔａを０にして（ステップＳ２９）
、処理動作［１−２］を終了する。
【００６４】
また、ステップＳ２４において、ユーザーからの「Ｙｅｓ」に相当する応答はないと判
断すれば、次に、ユーザーからの「Ｎｏ」に相当する応答があったか否かを判断し（ステ
ップＳ３０）、「Ｎｏ」に相当する応答があったと判断すれば、次に、目的地選択以外の
別のナビゲーション処理を行う（ステップＳ３１）。
【００６５】
一方、ステップＳ３０において、ユーザーからの「Ｎｏ」に相当する応答はないと判断
すれば、ステップＳ２４へ戻る。なお、所定の時間（例えば、６秒）が経過しても、「Ｙ
ｅｓ」、「Ｎｏ」のいずれの応答もない場合は、「Ｙｅｓ」と判断して、ステップＳ２５
へ進むようにしても良い。また、「Ｙｅｓ」、「Ｎｏ」の応答については音声に限定され
ず、表示パネル２０ｂへのタッチ操作などを採用しても良い。
【００６６】
次に、実施の形態（１）に係るプロファイル情報収集装置を含んで構成される、オーデ
ィオ装置１１におけるマイコン１２（ナビゲーション用制御部１４）の行う『目的地選択
処理』（図７のステップＳ２５）を図８に示したフローチャートに基づいて説明する。ま
ず、目的地Ｇの選択に使用するプロファイル情報を設定し、設定したプロファイル情報を
ＨＤＤ３１から読み出すなどの『プロファイル情報の設定・読出処理』（図９参照）を行
い（ステップＳ４１）、その後、ステップＳ４２へ進む。
【００６７】
なお、使用可能なプロファイル情報としては、ユーザーのプロファイル情報や、ユーザ
ーの家族・友人、アーティスト（例えば、ユーザーの好きなアーティスト）などユーザー
本人以外のプロファイル情報などが挙げられる。目的地Ｇの選択にユーザー本人以外のプ
ロファイル情報を使用すれば、例えば、ユーザーの父の好きな場所を目的地Ｇとして選択
したり、ユーザーの好きなアーティストのよく行く場所を目的地Ｇとして選択することが
できるようになる。
【００６８】
ステップＳ４２では、ＨＤＤ３１から読み出したプロファイル情報に基づいて、目的地
Ｇを選択するための選択条件を設定する。例えば、ユーザーの友人がテーマパークや公園
へ行くことを好むのであれば、『テーマパーク』と『公園』とを選択条件に設定する。ま
た、より具体的に『○×ランド』へ行くことが好きであれば、それを選択条件にしても良
い。また、ユーザーの過去の訪問履歴データに基づいて、最近テーマパークを訪問してい
れば、『テーマパーク以外』を選択条件に設定しても良い。
【００６９】
次に、ＤＶＤ−ＲＯＭ１７から読み出しておいた施設データや、ＨＤＤ３１に記憶され
ているコンテンツデータ、及び設定した選択条件に基づいて、目的地Ｇを選択し（ステッ
プＳ４３）、選択した場所に関する情報（例えば、施設名、所在地、ジャンル）と、誰の
プロファイル情報を使用したのかとを、現在の時間（例えば、年月日、時刻）と対応づけ
て訪問履歴情報としてＨＤＤ３１に記憶させる（ステップＳ４４）。
【００７０】
なお、選択した場所については、ユーザーが実際に訪問するかどうか分からないので、
別の実施の形態では、前記場所へ到達したときに、該場所に関する情報を訪問履歴情報と
してＨＤＤ３１へ記憶させるようにしても良い。また、さらに別の実施の形態では、ユー
ザーにより目的地Ｇが変更された場合、ユーザーは前記場所を好んでいないと判定し、該
判定結果をユーザーの履歴情報としてＨＤＤ３１に記憶させるようにしても良い。この履
歴情報を用いれば、ユーザーの好まない場所を目的地Ｇとして選択する可能性を低くする
ことができる。
【００７１】
次に、実施の形態（１）に係るプロファイル情報収集装置を含んで構成される、オーデ
ィオ装置１１におけるマイコン１２（ナビゲーション用制御部１４）の行う『プロファイ
ル情報の読出・設定処理』（図８のステップＳ４１）を図９に示したフローチャートに基
づいて説明する。まず、目的地Ｇの選択に使用するプロファイル情報を、所定の条件に基
づいて設定する（ステップＳ５１）。使用可能なプロファイル情報としては、ユーザー本
人のプロファイル情報や、ユーザーの家族・友人、アーティストなどユーザー本人以外の
プロファイル情報が挙げられる。なお、目的地Ｇの選択に使用するプロファイル情報の設
定方法としては、ランダムに設定する方法や、過去のプロファイル情報設定履歴に基づい
て設定する方法（例えば、前回使用したプロファイル情報は避ける）などが挙げられる。
また、ユーザー本人に誰のプロファイル情報を使用すれば良いのかを選択させるようにし
ても良い。
【００７２】
次に、使用するプロファイル情報がユーザー本人のものであるか否かを判断し（ステッ
プＳ５２）、ユーザー本人のものであると判断すれば、ＨＤＤ３１からユーザー本人のプ
ロファイル情報を読み出す（ステップＳ５３）。一方、使用するプロファイル情報がユー
ザー本人のものでないと判断すれば、次に、使用するプロファイル情報がユーザーの家族
・友人のものであるか否かを判断する（ステップＳ５４）。
【００７３】
使用するプロファイル情報がユーザーの家族・友人のものであると判断すれば、所定の
条件に基づいて、家族・友人の中から一人を選択し（ステップＳ５５）、選択したものの
プロファイル情報を読み出す（ステップＳ５６）。なお、ユーザーの家族・友人のプロフ
ァイル情報を読み出すには、ユーザー本人のプロファイル情報と同様に、ユーザーの家族
・友人のプロファイル情報をＨＤＤ３１へ記憶させておけば良い。
【００７４】
一方、使用するプロファイル情報がユーザーの家族・友人のものでもないと判断すれば
、次に、ユーザーのプロファイル情報を読み出し（ステップＳ５７）、読み出したユーザ
ーのプロファイル情報に基づいて、ユーザーの好きなアーティストを設定し（ステップＳ
５８）、設定したアーティストのプロファイル情報を移動体通信機２６を使って外部（例
えば、サーバー）から取得する（ステップＳ５９）。なお、前記アーティストのプロファ
イル情報については、ＨＤＤ３１に記憶されている場合、外部から取り込まなくても良い
。
【００７５】
ユーザー本人のプロファイル情報ではなく、ユーザー本人以外のプロファイル情報に基
づいて、目的地Ｇを選択すれば、普段訪問することの少ない場所へ訪問することができる
ようになり、ドライブをより楽しいものとすることができる。また、ここでは目的地Ｇの
選択に使用するユーザー本人以外のプロファイル情報として、ユーザーの家族・友人、ユ
ーザーの好きなアーティストのプロファイル情報を挙げているが、ユーザー本人以外のプ
ロファイル情報がこれらに限定されないことは言うまでもなく、アーティスト以外の有名
人や、有名人ではない一般人であっても良い。例えば、ユーザーがよく訪問する場所を同
じようによく訪問する人（有名人や一般人）のプロファイル情報を使用して、前記人が他
によく訪問する場所（ユーザーが好きな可能性が高いと推定される場所）を目的地Ｇに設
定しても良い。
【００７６】
また、別の実施の形態では、ユーザーの家族・友人のように、実在の人物でなくても良
く、例えば、想像の人物（例えば、メーカーが作成したキャラクター）や、統計的データ
に基づいて作成された平均的な人物（例えば、平均的な大阪在住の２０代男性、スポーツ
好きの３０代女性）などであっても良い。これにより、例えば、使用するプロファイル情
報の設定条件を、ユーザーと同年代の者（すなわち、生まれた年が同じ、又は近い者）な
どと設定することができる。
【００７７】
次に、実施の形態（１）に係るプロファイル情報収集装置を含んで構成される、オーデ
ィオ装置１１におけるマイコン１２（オーディオ用制御部１３）の行う『オーディオ処理
』（図５のステップＳ１０）を図１０に示したフローチャートに基づいて説明する。まず
、音声認識用の語彙をオーディオ用に限定する（例えば、ナビゲーション用の語彙を外す
）ことによって、音声認識力を高める（ステップＳ６１）。別の実施の形態では、音声認
識用の語彙を限定するのではなく、語彙の重み付けを行うようにしても良い。例えば、ナ
ビゲーション用の語彙のヒット確率を下げるように重み付けを行う。
【００７８】
次に、オーディオ用のメニュー画面を表示パネル２０ｂへ表示させると共に（ステップ
Ｓ６２）、対話シナリオデータＤ９に基づいて、所定の案内文データを作成し、スピーカ
２５より音声で所定の案内文を出力させる（ステップＳ６３）。例えば、「音楽を流しま
しょうか？それともテレビ番組やラジオ番組を流しましょうか？」といった案内文をスピ
ーカ２５より出力させる。
【００７９】
その後、マイクロフォン２１から得られる情報に基づいて、ユーザーからの「音楽」に
相当する応答があったか否かを判断し（ステップＳ６４）、ユーザーからの「音楽」に相
当する応答があったと判断すれば、次に、『楽曲再生処理』（図１１参照）を行う（ステ
ップＳ６５）。
【００８０】
一方、ユーザーからの「音楽」に相当する応答はないと判断すれば、次に、ユーザーか
らの「テレビ」に相当する応答があったか否かを判断し（ステップＳ６６）、「テレビ」
に相当する応答があったと判断すれば、次に、『テレビ放送受信処理』（図１７参照）を
行う（ステップＳ６７）。
【００８１】
ユーザーからの「テレビ」に相当する応答はないと判断すれば、次に、ユーザーからの
「ラジオ」に相当する応答があったか否かを判断し（ステップＳ６８）、「ラジオ」に相
当する応答があったと判断すれば、次に、『ラジオ放送受信処理』を行う（ステップＳ６
９）。なお、『ラジオ放送受信処理』は、図１７で説明する『テレビ放送受信処理』と同
様であるので、その説明を省略する。
【００８２】
一方、ステップＳ６８において、ユーザーからの「ラジオ」に相当する応答はないと判
断すれば、ステップＳ６４へ戻る。なお、所定の時間（例えば、６秒）が経過しても、「
音楽」、「テレビ」、「ラジオ」のいずれの応答もない場合は、「音楽」と判断して、ス
テップＳ６５へ進むようにしても良い。また、「音楽」、「テレビ」、「ラジオ」の応答
については音声に限定されず、表示パネル２０ｂへのタッチ操作などを採用しても良い。
【００８３】
次に、実施の形態（１）に係るプロファイル情報収集装置を含んで構成される、オーデ
ィオ装置１１におけるマイコン１２（オーディオ用制御部１３）の行う『楽曲再生処理』
（図１０のステップＳ６５）を図１１に示したフローチャートに基づいて説明する。まず
、再生リストの作成（楽曲の選択）に使用するプロファイル情報を設定し、設定したプロ
ファイル情報をＨＤＤ３１から読み出すなどの『プロファイル情報の設定・読出処理』を
行い（ステップＳ７１）、その後、ステップＳ７２へ進む。
【００８４】
なお、ここでの『プロファイル情報の設定・読出処理』は、図９に示した『プロファイ
ル情報の設定・読出処理』と同様であり、楽曲の選択に使用するプロファイル情報として
は、ユーザー本人のプロファイル情報に限定されず、ユーザー本人以外（例えば、実在の
人物、想像の人物、統計的データに基づいて作成された平均的な人物）のプロファイル情
報であっても良い。
【００８５】
例えば、ユーザーが好きなアーティストのプロファイル情報を、楽曲の選択に使用する
プロファイル情報に設定して、ユーザーが好きなアーティストがよく聴く楽曲を選択する
ようにしたり、また、ユーザーがよく聴く楽曲を同じようによく聴いている人のプロファ
イル情報を、楽曲の選択に使用するプロファイル情報に設定して、前記人がよく聴いてい
る楽曲（すなわち、ユーザーが好む可能性が高い楽曲）を選択するようにしても良い。
【００８６】
ステップＳ７２では、ＨＤＤ３１から読み出したプロファイル情報に基づいて、再生リ
ストを作成するための選択条件（すなわち、楽曲を選択するための選択条件）を設定する
。例えば、ユーザーの友人がスピード感のない楽曲（ゆっくりした楽曲）や演歌を聴くこ
とを好むのであれば、『スピードレベル２以下』と『演歌』とを選択条件に設定する。ま
た、より具体的に『×××』という楽曲を聴くことが好きであれば、それを選択条件にし
ても良い。また、ユーザーの過去の聴取履歴に基づいて、昨日楽曲『□△☆』を聴取して
いれば、『□△☆以外』を選択条件に設定しても良い。
次に、設定した前記選択条件に基づいて、再生リストを作成する『再生リスト作成処理
』（図１２参照）を行い（ステップＳ７３）、その後、作成した再生リストに従って、楽
曲を再生する『リスト再生処理』（図１３参照）を行う（ステップＳ７４）。
【００８７】
次に、実施の形態（１）に係るプロファイル情報収集装置を含んで構成される、オーデ
ィオ装置１１におけるマイコン１２（オーディオ用制御部１３）の行う『再生リスト作成
処理』（図１１のステップＳ７３）を図１２に示したフローチャートに基づいて説明する
。まず、車両Ｍの走行環境条件などに関する情報（例えば、日付、曜日、時刻、時間帯、
季節、気象、走行中の道路の種別）を取得し（ステップＳ８１）、取得した情報に基づい
て、楽曲の再生順序に関する再生順序条件を設定する（ステップＳ８２）。例えば、季節
が春や夏であれば、段々と盛り上がるような順序で楽曲が再生されるように前記再生順序
条件を設定したり、季節が秋と冬であれば、段々と大人しくなってくるような順序で楽曲
が再生されるように前記再生順序条件を設定する。
【００８８】
次に、楽曲を選択するための選択条件、及び再生順序条件に基づいて、ＨＤＤ３１に記
録されている楽曲の中から、前記選択条件、及び前記再生順序条件を満たす、第１番目に
再生すべき楽曲を選択する（ステップＳ８３）。次に、楽曲を選択するための前記選択条
件、及び前記再生順序条件に基づいて、ＨＤＤ３１に記録されている楽曲の中から、前記
選択条件、及び前記再生順序条件を満たす、最後に再生すべき楽曲を選択する（ステップ
Ｓ８４）。
【００８９】
次に、目的地Ｇが設定されていて、目的地Ｇへの誘導処理が行われているか否かを判断
する（ステップＳ８５）。目的地Ｇへの誘導処理が行われていると判断すれば、ドライブ
中に楽曲の再生を終了させるために（すなわち、目的地Ｇへ到達するまでに楽曲の再生を
終了せるために）、目的地Ｇへ到達するまでに要する時間Ｔａ、１曲目の再生時間、及び
最終曲の再生時間に基づいて、残り再生可能な時間（＝時間Ｔａ−１曲目の再生時間−最
終曲の再生時間）を算出し（ステップＳ８６）、その後、ステップＳ８８へ進む。
【００９０】
一方、目的地Ｇへの誘導処理は行われていないと判断すれば、総再生時間を６０分に設
定して、残り再生可能な時間（＝６０分−１曲目の再生時間−最終曲の再生時間）を算出
し（ステップＳ８７）、その後、ステップＳ８８へ進む。なお、この総再生時間について
は、ユーザーに予め設定させておくようにしたり、その時々で自由に設定できるようにし
ても良い。
【００９１】
ステップＳ８８では、前記選択条件、前記再生順序条件、及び残り再生可能な時間に基
づいて、２曲目以降の楽曲（最終曲は除く）の選択を行い、その選択結果に基づいて、再
生リストを表示パネル２０ｂへ表示することによって、再生リストをユーザーへ紹介する
（ステップＳ８９）。次に、対話シナリオデータＤ９に基づいて、所定の案内文データを
作成し、スピーカ２５より音声で所定の案内文を出力させる（ステップＳ９０）。例えば
、「再生リストはこれでよろしいでしょうか？」といった案内文をスピーカ２５より出力
させる。
【００９２】
その後、マイクロフォン２１から得られる情報に基づいて、ユーザーからの「Ｙｅｓ」
に相当する応答があったか否かを判断し（ステップＳ９１）、ユーザーからの「Ｙｅｓ」
に相当する応答があったと判断すれば、次に、これら選択した楽曲に関する情報（例えば
、楽曲名、歌手名、ジャンル）と、誰のプロファイル情報を使用したのかとを、現在の時
間（例えば、年月日、時刻）と対応づけて楽曲聴取履歴情報としてＨＤＤ３１に記憶させ
る（ステップＳ９２）。
【００９３】
なお、選択した楽曲については、ユーザーが実際に聴取するかどうか分からないので、
別の実施の形態では、前記楽曲が実際に再生開始（又は完了）したときに、楽曲情報を楽
曲聴取履歴情報としてＨＤＤ３１へ記憶させるようにしても良い。また、さらに別の実施
の形態では、ユーザーにより再生が中止された場合、ユーザーは当該楽曲を好んでいない
と判定し、該判定結果をユーザーの履歴情報としてＨＤＤ３１に記憶させるようにしても
良い。この履歴情報を用いれば、ユーザーの好まない楽曲を選択する可能性を低くするこ
とができる。
【００９４】
一方、「Ｙｅｓ」に相当する応答はないと判断すれば、次に、ユーザーからの「Ｎｏ」
に相当する応答があったか否かを判断し（ステップＳ９３）、「Ｎｏ」に相当する応答が
あったと判断すれば、再生リストを変更し得る環境を設定し（ステップＳ９４）、ユーザ
ーによる再生リストの変更指示が完了したと判断すれば（ステップＳ９５）、前記変更指
示に基づいて、再生リストを変更し（ステップＳ９６）、その後、ステップＳ８９へ戻る
。
【００９５】
一方、ステップＳ９３において、ユーザーからの「Ｎｏ」に相当する応答はないと判断
すれば、ステップＳ９１へ戻る。なお、所定の時間（例えば、１０秒）が経過しても、「
Ｙｅｓ」、「Ｎｏ」のいずれの応答もない場合は、「Ｙｅｓ」と判断して、ステップＳ９
２へ進むようにしても良い。また、「Ｙｅｓ」、「Ｎｏ」、「ナビゲーション」、「オー
ディオ」の応答については音声に限定されず、表示パネル２０ｂへのタッチ操作などを採
用しても良い。
【００９６】
次に、実施の形態（１）に係るプロファイル情報収集装置を含んで構成される、オーデ
ィオ装置１１におけるマイコン１２（オーディオ用制御部１３）の行う『リスト再生処理
』（図１１のステップＳ７４）を図１３に示したフローチャートに基づいて説明する。ま
ず、目的地Ｇが設定されていて、目的地Ｇへの誘導処理が行われているか否かを判断する
（ステップＳ１０１）。
【００９７】
目的地Ｇへの誘導処理が行われていると判断すれば、再生リスト、及び楽曲の再生状況
に基づいて、再生リストに含まれている楽曲のうち、未再生の部分を再生するのに必要と
なる時間Ｔｂを算出し（ステップＳ１０２）、次に、目的地Ｇへ到達するまでに要する時
間Ｔａが時間Ｔｂ以上であるか否か（すなわち、再生が予定されていた楽曲をドライブ中
に再生することができるか否か）を判断する（ステップＳ１０３）。
【００９８】
再生可能である（Ｔａ≧Ｔｂ）と判断すれば、次に、時間Ｔａが時間Ｔｃ（＝時間Ｔｂ
＋時間α）より大きいか否かを判断する（ステップＳ１０４）。例えば、時間αを１０分
に設定し、楽曲の再生が目的地Ｇへ到着するよりも随分と前で終了してしまうか否かを判
断する。時間Ｔａが時間Ｔｃより大きい（すなわち、目的地Ｇへの到着よりも随分と前で
楽曲の再生が終了してしまう）と判断すれば、再生速度をダウンさせて（ステップＳ１０
５）、その後、ステップＳ１０７へ進む。一方、時間Ｔａが時間Ｔｃより大きくないと判
断すれば、そのままステップＳ１０７へ進む。
【００９９】
なお、ここでは、再生速度をダウンさせて、目的地Ｇへの到着よりも随分と前で楽曲の
再生が終了してしまうといった事態が生じるのを回避するようにしているが、前記事態を
回避する方法はこれに限定されず、別の実施の形態では、例えば、各楽曲間の待機時間を
延長させたり、各楽曲の終盤部分をリピートさせるようにしても良い。
【０１００】
また、ステップＳ１０３において、時間Ｔａが時間Ｔｂ以上でない（すなわち、再生リ
ストの楽曲を再生し終る前に、目的地Ｇへ到着する）と判断すれば、再生速度をアップさ
せて（ステップＳ１０６）、その後、ステップＳ１０７へ進む。なお、ここでは、再生速
度をアップさせて、再生が予定されていた楽曲がドライブ中に再生されないといった事態
が生じるのを回避するようにしているは、前記事態を回避する方法はこれに限定されず、
別の実施の形態では、例えば、各楽曲間の待機時間を短縮又はカットさせたり、各楽曲の
終盤部分のカット又はフェードアウトさせるようにしても良い。
【０１０１】
ステップＳ１０７では、ＨＤＤ３１から楽曲データを読み出し、再生リストに従って楽
曲を再生し、次に、再生リストの全ての楽曲の再生が完了したか否かを判断し（ステップ
Ｓ１０８）、再生リストの全ての楽曲の再生が完了したと判断すれば、『リスト再生処理
』を終了する。一方、完了していないと判断すれば、ステップＳ１０１へ戻る。
【０１０２】
次に、別の実施の形態での『リスト再生処理』（図１１のステップＳ７４）を図１４に
示したフローチャートに基づいて説明する。まず、目的地Ｇが設定されていて、目的地Ｇ
への誘導処理が行われているか否かを判断し（ステップＳ１１１）、目的地Ｇへの誘導処
理が行われていると判断すれば、再生リスト、楽曲の再生状況、及び目的地Ｇへ到達する
までに要する時間Ｔａに基づいて、ドライブ中（車両Ｍが目的地Ｇへ到達するまで）に、
再生可能であるかどうかを楽曲毎に判定する（ステップＳ１１２）。
【０１０３】
この判定結果に基づいて、例えば、図１５に示したような画面を表示パネル２０ｂへ表
示させることによって、どの楽曲までが再生可能であるのかをユーザーへ知らせる（ステ
ップＳ１１３）。１曲目『○○○』から４曲目『□□□』までは再生が終了していること
が示され（黒色表示）、５曲目『☆☆☆』が再生中（青色点滅表示）で、６〜８曲目は再
生可能（青色表示）で、９曲目と１０曲目が再生不可（赤色表示）であることが示されて
いる。また、さらに別の実施の形態では、再生可能、不可の２段階ではなく、３段階以上
にして再生可能状況を示すようにしても良い。例えば、図１６に示したように、９曲目の
『□☆☆』を再生微妙（黄色表示）であると示すようにしても良い。
【０１０４】
次に、再生リストの順序を変更し得る環境を設定し（ステップＳ１１４）、ユーザーに
よる再生リストの順序変更の指示がなされたと判断すれば（ステップＳ１１５）、前記指
示に基づいて、再生リストの再生順序を変更し（ステップＳ１１６）、その後、ステップ
Ｓ１１７へ進む。一方、再生リストの順序変更の指示がなされなかったと判断すれば、ス
テップＳ１１６を飛ばして、そのままステップＳ１１７へ進む。
【０１０５】
ステップＳ１１７では、ＨＤＤ３１から楽曲データを読み出し、再生リストに従って楽
曲の再生し、次に、再生リストの全ての楽曲の再生が完了したか否かを判断し（ステップ
Ｓ１１８）、再生リストの全ての楽曲の再生が完了したと判断すれば、『リスト再生処理
』を終了する。一方、完了していないと判断すれば、ステップＳ１１１へ戻る。
【０１０６】
なお、ここでは再生リスト（変更後の再生リストも含む）の再生順序に従って、その順
序通りに、楽曲を再生する場合について説明しているが、別の実施の形態では、再生リス
トの再生順序通りではなく、ランダムな順序での再生指示を、ユーザーが行い得る環境を
設定するようにし、ランダムな順序での再生指示があった場合、再生リストの再生順序通
りではなく、ランダムな順序での楽曲再生を行うようにしても良い。これにより、例えば
、始めは乗りの良い楽曲が演奏され、途中は静かな楽曲が演奏され、最後はバラードが演
奏されるといった、ある決まったかたちでの演奏ではなく、ユーザーが希望すれば、決ま
りのないかたちでの演奏を楽しむことができるようになる。
【０１０７】
次に、実施の形態（１）に係るプロファイル情報収集装置を含んで構成される、オーデ
ィオ装置１１におけるマイコン１２（オーディオ用制御部１３）の行う『テレビ放送受信
処理』（図１０のステップＳ６７）を図１７に示したフローチャートに基づいて説明する
。まず、テレビ番組の選択に使用するプロファイル情報を設定し、設定したプロファイル
情報をＨＤＤ３１などから読み出し（ステップＳ１２１）、ステップＳ１２２へ進む。な
お、ここでの『プロファイル情報の設定・読出処理』については、図９に示した処理と同
様であるので、その説明を省略する。
【０１０８】
ステップＳ１２２では、ＨＤＤ３１から読み出したプロファイル情報に基づいて、テレ
ビ番組を選択するための選択条件を設定する。例えば、ユーザーの好きなアーティストが
スポーツ番組を視聴することを好むのであれば、『スポーツレベル４以上』と選択条件に
設定する。また、より具体的に『スポーツ○×』というテレビ番組を視聴することが好き
であれば、それを選択条件にしても良い。
【０１０９】
次に、移動体通信機２６を使って、テレビ番組の内容に関する情報を提供しているサー
バーから前記情報を取得し（ステップＳ１２３）、取得した情報、及び前記選択条件に基
づいて、受信可能なものの中から前記選択条件を満たす番組を選択し（ステップＳ１２４
）、選択した番組を視聴するために、放送波受信機１６における受信周波数を調整し、受
信したテレビ番組の映像を表示パネル２０ｂに表示すると共に、音声をスピーカ２５から
出力する（ステップＳ１２５）。
【０１１０】
その後、視聴したテレビ番組の内容に関する情報と、誰のプロファイル情報を使用した
のかとを、現在の時間（例えば、年月日、時刻）と対応づけてテレビ番組視聴履歴情報と
してＨＤＤ３１に記憶させる（ステップＳ１２６）。なお、時間については、受信開始の
時間だけでなく、受信終了の時間についても、履歴情報としてＨＤＤ３１に記憶させるよ
うにしても良い。
【０１１１】
また、ここでは番組の内容に関する情報を、視聴履歴情報としてＨＤＤ３１に記憶させ
るようにしているが、別の実施の形態では、視聴した放送番組を放送している放送局に関
する情報（例えば、放送局の名称、周波数、ジャンル）を、視聴履歴情報としてＨＤＤ３
１に記憶させるようにしても良い。
【０１１２】
次に、実施の形態（１）に係るプロファイル情報収集装置を含んで構成される、オーデ
ィオ装置１１におけるマイコン１２（オーディオ用制御部１３）の行う『ユーザー操作処
理』（図５のステップＳ１４）を図１８に示したフローチャートに基づいて説明する。ま
ず、ナビゲーション機能及びオーディオ機能のいずれかの稼働選択が可能な画面を表示パ
ネル２０ｂへ表示させる（ステップＳ１３１）。
【０１１３】
次に、ユーザーによるナビゲーション機能を稼働させる指示が行われたか否かを判断し
（ステップＳ１３２）、ユーザーによるナビゲーション機能を稼働させる指示が行われた
と判断すれば、ナビゲーション用制御部１４に対して目的地設定などのナビゲーション処
理（図１９参照）を行うように指示する（ステップＳ１３３）。
【０１１４】
次に、ユーザーからのオーディオ機能を稼働させる指示があったか否か（例えば、リモ
コン１９に設けられているナビゲーション機能とオーディオ機能とを切り替えるための切
替スイッチが押下されたか否か）を判断し（ステップＳ１３４）、ユーザーからのオーデ
ィオ機能を稼働させる指示があったと判断すれば、ステップＳ１３６へ進む。
【０１１５】
一方、ステップＳ１３２において、ナビゲーション機能を稼働させる指示が行われなか
ったと判断すれば、次に、ユーザーによるオーディオ機能を稼働させる指示が行われたか
否かを判断し（ステップＳ１３５）、ユーザーによるオーディオ機能を稼働させる指示が
行われたと判断すれば、ステップＳ１３６へ進む。一方、オーディオ機能を稼働させる指
示が行われなかったと判断すれば、ステップＳ１３２へ戻る。
【０１１６】
ステップＳ１３６では、ユーザーによる楽曲を再生させる操作が行われたか否か（例え
ば、ＣＤに収録されている楽曲を再生させる操作や、ＨＤＤ３１に記憶されている楽曲を
再生させる操作が行われたか否か）を判断する。楽曲を再生させる操作が行われたと判断
すれば、前記操作に基づいて、ユーザーの所望する楽曲を再生し（ステップＳ１３７）、
再生した楽曲に関する情報（例えば、楽曲名、歌手名、ジャンル）を、現在の時間（例え
ば、年月日、時刻）と対応づけて、楽曲聴取履歴情報としてＨＤＤ３１に記憶させる（ス
テップＳ１４１）。
【０１１７】
一方、楽曲を再生させる操作は行われていないと判断すれば、次に、ユーザーによるテ
レビ放送又はラジオ放送を受信する操作が行われたか否かを判断し（ステップＳ１３８）
、前記操作が行われたと判断すれば、前記操作に基づいて、ユーザーの所望するテレビ放
送又はラジオ放送を受信するようにして、映像については表示パネル２０ｂへ表示させ、
音声についてはスピーカ２５から出力させる（ステップＳ１３９）。
【０１１８】
次に、移動体通信機２６を使って、テレビ番組やラジオ番組の内容に関する情報を提供
しているサーバーから、受信している番組の内容に関する情報（例えば、ジャンル、出演
者、番組内で流れた楽曲）を取得し（ステップＳ１４０）、取得した情報（すなわち、視
聴したテレビ番組又は聴取したラジオ番組の内容に関する情報）を、現在の時間（例えば
、年月日、時刻）と対応づけて、番組視聴履歴情報としてＨＤＤ３１に記憶させる（ステ
ップＳ１４１）。
【０１１９】
なお、ここでは番組の内容に関する情報を、視聴履歴情報としてＨＤＤ３１に記憶させ
るようにしているが、別の実施の形態では、視聴又は聴取した放送番組を放送している放
送局に関する情報（例えば、放送局の名称、周波数、ジャンル）を、視聴履歴情報として
ＨＤＤ３１に記憶させるようにしても良い。
【０１２０】
次に、実施の形態（１）に係るプロファイル情報収集装置を含んで構成される、オーデ
ィオ装置１１におけるマイコン１２（ナビゲーション用制御部１４）の行う処理動作［１
−３］を図１９に示したフローチャートに基づいて説明する。なお、この処理動作［１−
３］はメイン制御部であるオーディオ用制御部１３からナビゲーション処理を行う指示が
なされた場合（図１８のステップＳ１３３）に行われる動作である。
【０１２１】
まず、ナビゲーション用のメニュー画面を表示パネル２０ｂへ表示させ（ステップＳ１
５１）、次に、ユーザーによる目的地設定の操作が行われたか否かを判断する（ステップ
Ｓ１５２）。目的地設定の操作が行われたと判断すれば、ユーザーにより設定された目的
地Ｇに関する情報（例えば、施設名、所在地、ジャンル）を、現在の時間（例えば、年月
日、時刻）と対応づけて、訪問履歴情報としてＨＤＤ３１に記憶させる（ステップＳ１５
３）。なお、目的地Ｇとして設定した場所については、ユーザーが実際に訪問するかどう
か分からないので、別の実施の形態では、前記場所へ到達したときに、該場所に関する情
報を訪問履歴情報としてＨＤＤ３１へ記憶させるようにしても良い。
【０１２２】
次に、目的地Ｇまで車両Ｍを誘導する誘導処理を行い（ステップＳ１５４）、車両Ｍが
目的地Ｇへ到達したか否かを判断する（ステップＳ１５５）。車両Ｍが目的地Ｇへ到達し
たと判断すれば、処理動作［１−３］を終了する。一方、車両Ｍは目的地Ｇへ到達してい
ないと判断すれば、ステップＳ１５４へ戻る。また、ステップＳ１５２において、ユーザ
ーによる目的地設定の操作が行われていないと判断すれば、ユーザーによる別の指示に基
づいて、別の処理を行う（ステップＳ１５６）。
【０１２３】
上記実施の形態（１）に係るプロファイル情報収集装置を含んで構成される、オーディ
オ装置１１では、ある特定者のプロファイル情報に基づいて、ユーザーへ提供するコンテ
ンツを選択する場合について説明しているが、別の実施の形態では、ユーザーのプロファ
イル情報と、多人数のプロファイル情報から得られる統計的データとに基づいて、ユーザ
ーへ提供するコンテンツ（例えば、目的地とするための場所、再生するための楽曲、受信
するための放送番組）を選択するようにしても良い。
【０１２４】
例えば、ユーザーのプロファイル情報「楽曲ａをよく聴いている（又は好む）」と、多
人数のプロファイル情報から得られる統計的データ「楽曲ａをよく聴いている（又は好む
）者の多くは、楽曲ｂをよく聴いている（又は好んでいる）」とに基づいて、ユーザーへ
提供するコンテンツを選択することによって、ユーザーが好むと推定されるコンテンツ「
楽曲ｂ」を選択することができる。
【０１２５】
上記実施の形態（１）に係るプロファイル情報収集装置を含んで構成される、オーディ
オ装置１１では、個人の行為から得られる情報（例えば、訪問した場所に関する情報とし
て、施設名、所在地、ジャンル、楽曲に関する情報として、楽曲名、歌手名、ジャンル、
視聴したテレビ番組の内容に関する情報として、番組名、ジャンル、出演者、流れた楽曲
）をプロファイル情報として収集したり、前記個人の行為から得られる情報に基づいて、
ユーザーへ提供するコンテンツを選択する場合について説明しているが、別の実施の形態
では、前記個人の行為から得られる情報に基づいて、前記個人の特有の性質を求め、その
性質を示した情報をプロファイル情報として収集したり、前記情報に基づいて、ユーザー
へ提供するコンテンツを選択するようにしても良い。
【０１２６】
例えば、前記個人の行為から得られる情報「クラシック音楽の流れる番組をよく視聴し
ている」に基づいて、前記個人に特有の性質「クラシック音楽が好き」を求めることがで
き、これを学習データＤ３（図２参照）としてＨＤＤ３１に記憶させたり、プロファイル
データＤ１を更新させても良い。
【０１２７】
上記実施の形態（１）に係るプロファイル情報収集装置を含んで構成される、オーディ
オ装置１１では、個人の行為から得られる情報のうち、訪問した場所に関する情報、聴取
した楽曲に関する情報、及び視聴又は聴取した放送番組に関する情報を、プロファイル情
報として収集する場合について説明しているが、前記個人の行為から得られる情報はこれ
ら情報に限定されず、別の実施の形態では、例えば、前記個人が金銭を支払うことにより
、購入した商品又は受けたサービスに関する情報や、前記個人の所有又は使用する車両の
種別に関する情報などであっても良い。
【０１２８】
例えば、音楽ＣＤをよく購入する者は、音楽を聴くことが好きだと推定することができ
、高級車に乗っている者は、高級指向だと推定することができる。また、あるアーティス
トのＣＤをよく購入していれば、前記個人がそのアーティストを好きだと推定することが
できる。
【０１２９】
上記実施の形態（１）に係るプロファイル情報収集装置を含んで構成される、オーディ
オ装置１１では、訪問した場所に関する情報、聴取した楽曲に関する情報、及び視聴又は
聴取した放送番組に関する情報を、プロファイル情報として収集しているので、場所や楽
曲、放送番組毎に、訪問した回数や聴取した回数、視聴した回数をカウントすることが可
能となる。
【０１３０】
別の実施の形態では、場所や楽曲、放送番組毎に、訪問した回数や聴取した回数、視聴
した回数をカウントさせておくようにしても良い。これにより、前記個人の嗜好など、該
個人に特有の性質などをより精度良く求めることができる。また、ユーザーへ提供するコ
ンテンツの選択をより適切に、より効率良く行うことができるようになる。
【０１３１】
さらに、別の実施の形態では、ＣＤなどに記録されている楽曲が再生された場合や、Ｈ
ＤＤ３１に記憶されている楽曲が再生された場合だけでなく、テレビ番組やラジオ番組な
どで流れた場合についても、前記個人が聴取した回数としてカウントさせるようにしても
良い。これにより、実際に聴取した回数をきっちりとカウントすることができる。
【０１３２】
なお、ディジタル放送では、楽曲自体のデータ（音声データ）と共に送信される楽曲に
関する情報を示したデータを利用し、また、アナログ放送では、多重放送における多重送
信データを利用することによって、テレビ番組やラジオ番組などから流れた楽曲がどの楽
曲であるのか（すなわち、ユーザーがどの楽曲を聴取したのか）を認識することなどがで
きる。
【０１３３】
また、ここでは、単純に訪問や聴取、視聴した回数をカウントする場合（例えば、１ず
つカウントアップする場合）について説明しているが、別の実施の形態では、単純にカウ
ントアップするのではなく、重みを付加するようにしても良い。例えば、再生された楽曲
は「＋１」とするのに対し、再生を中止させた楽曲は「−２」とする。これにより、楽曲
毎の個人における重要度を求めることができる。
【０１３４】
また、さらに別の実施の形態では、前記個人の意思により楽曲が再生された場合には、
「＋１」とし、前記個人の意思とは別に楽曲が再生された場合（例えば、エージェントに
よって再生された場合）には、「＋０．５」とするようにしても良い。これにより、前記
重要度の精度をより一層高めることができる。
【図面の簡単な説明】
【０１３５】
【図１】本発明の実施の形態（１）に係るプロファイル情報収集装置を含んで構成される、ナビゲーション機能を有したオーディオ装置の要部を概略的に示したブロック図である。
【図２】ＨＤＤに記憶されているデータの一部を示した図である。
【図３】ＨＤＤに記憶されている楽曲データ、及び楽曲情報に関するデータの一部を示した図である。
【図４】ＨＤＤに記憶されているユーザーのプロファイルデータの一部を示した図である。
【図５】実施の形態（１）に係るプロファイル情報収集装置を含んで構成される、オーディオ装置におけるマイコン（オーディオ用制御部）の行う処理動作を示したフローチャートである。
【図６】表示パネルに表示される画面の表示例を示した図である。
【図７】実施の形態（１）に係るプロファイル情報収集装置を含んで構成される、オーディオ装置におけるマイコン（ナビゲーション用制御部）の行う処理動作を示したフローチャートである。
【図８】実施の形態（１）に係るプロファイル情報収集装置を含んで構成される、オーディオ装置におけるマイコン（ナビゲーション用制御部）の行う処理動作を示したフローチャートである。
【図９】実施の形態（１）に係るプロファイル情報収集装置を含んで構成される、オーディオ装置におけるマイコン（ナビゲーション用制御部）の行う処理動作を示したフローチャートである。
【図１０】実施の形態（１）に係るプロファイル情報収集装置を含んで構成される、オーディオ装置におけるマイコン（オーディオ用制御部）の行う処理動作を示したフローチャートである。
【図１１】実施の形態（１）に係るプロファイル情報収集装置を含んで構成される、オーディオ装置におけるマイコン（オーディオ用制御部）の行う処理動作を示したフローチャートである。
【図１２】実施の形態（１）に係るプロファイル情報収集装置を含んで構成される、オーディオ装置におけるマイコン（オーディオ用制御部）の行う処理動作を示したフローチャートである。
【図１３】実施の形態（１）に係るプロファイル情報収集装置を含んで構成される、オーディオ装置におけるマイコン（オーディオ用制御部）の行う処理動作を示したフローチャートである。
【図１４】実施の形態（１）に係るプロファイル情報収集装置を含んで構成される、オーディオ装置におけるマイコン（オーディオ用制御部）の行う処理動作を示したフローチャートである。
【図１５】表示パネルに表示される再生リストの表示例を示した図である。
【図１６】表示パネルに表示される再生リストの表示例を示した図である。
【図１７】実施の形態（１）に係るプロファイル情報収集装置を含んで構成される、オーディオ装置におけるマイコン（オーディオ用制御部）の行う処理動作を示したフローチャートである。
【図１８】実施の形態（１）に係るプロファイル情報収集装置を含んで構成される、オーディオ装置におけるマイコン（オーディオ用制御部）の行う処理動作を示したフローチャートである。
【図１９】実施の形態（１）に係るプロファイル情報収集装置を含んで構成される、オーディオ装置におけるマイコン（ナビゲーション用制御部）の行う処理動作を示したフローチャートである。
【図２０】ＨＤＤに記憶されているデータの一部を示した図である。
【符号の説明】
【０１３６】
１１  オーディオ装置
１２  マイコン
１３  オーディオ用制御部
１４  ナビゲーション用制御部
１６  放送波受信機
２２  音声認識部
２３  音声合成部
３１  ＨＤＤ
【図１】
2005293194.tif 000003
【図２】
2005293194.tif 000004
【図３】
2005293194.tif 000005
【図４】
2005293194.tif 000006
【図５】
2005293194.tif 000007
【図６】
2005293194.tif 000008
【図７】
2005293194.tif 000009
【図８】
2005293194.tif 000010
【図９】
2005293194.tif 000011
【図１０】
2005293194.tif 000012
【図１１】
2005293194.tif 000013
【図１２】
2005293194.tif 000014
【図１３】
2005293194.tif 000015
【図１４】
2005293194.tif 000016
【図１５】
2005293194.tif 000017
【図１６】
2005293194.tif 000018
【図１７】
2005293194.tif 000019
【図１８】
2005293194.tif 000020
【図１９】
2005293194.tif 000021
【図２０】
2005293194.tif 000022